(57)【要約】      （修正有）【課題】磁気ヘッドに対して侵入するノイズの遮蔽を好適に行うとともにシールド部材の小型化を図り、これにより、再生装置の価格を低下させる。【解決手段】偏向ヨーク４４を備えるテレビジョン受信装置４の下方に設けられ、当該テレビジョン受信装置４とともにビデオ一体型テレビジョン受信機１００を構成し、ビデオテープＭに記録された所定の情報を少なくとも読み出す磁気ヘッド３１を有する再生装置３である。ビデオテープＭを挿入するための挿入部３４と、内部に、挿入部３４を介して挿入されたビデオテープＭが収容されるとともに磁気ヘッド３１が配設されたケース体と、ケース体の挿入部３４の高さよりも低い位置に設けられ、偏向ヨーク４４の駆動に基づいて発せられ磁気ヘッド３１に侵入するノイズを遮蔽するシールド部材３５と、を備える。【選択図】図１
0003106384.tif 000002
【実用新案登録請求の範囲】
【請求項１】
テレビジョン受信装置と、このテレビジョン受信装置の下方に設けられ、磁気的記録媒体に記録された所定の情報の読み出し並びに前記磁気的記録媒体に対する所定の情報の書き込みを行う磁気ヘッドを有する再生装置と、を備える再生装置一体型テレビジョン受信機であって、
前記テレビジョン受信装置には、偏向ヨークが設けられ、
前記再生装置は、
前記磁気的記録媒体を挿入するための挿入部と、
内部に、前記挿入部を介して挿入された前記磁気的記録媒体が収容されるとともに前記磁気ヘッドが配設されたケース体と、
前記ケース体の上部に配設され、前記磁気的記録媒体の挿入方向と略平行となるように延設された平面部を有する上面プレートと、
前記磁気ヘッドの略直上となる位置であって、前記平面部の一部が前記挿入部の高さよりも低くなるように当該平面部に対して段差を付けて前記上面プレートと一体となって成形されたシールド配設部に配設され、前記偏向ヨークの駆動に基づいて発せられ前記磁気ヘッドに侵入するノイズを遮蔽する略板状に形成されたシールド部材と、を備えることを特徴とする再生装置一体型テレビジョン受信機。
【請求項２】
偏向ヨークを備えるテレビジョン受信装置の下方に設けられ、当該テレビジョン受信装置とともに再生装置一体型テレビジョン受信機を構成し、磁気的記録媒体に記録された所定の情報を少なくとも読み出す磁気ヘッドを有する再生装置であって、
前記磁気的記録媒体を挿入するための挿入部と、
内部に、前記挿入部を介して挿入された前記磁気的記録媒体が収容されるとともに前記磁気ヘッドが配設されたケース体と、
前記ケース体の前記挿入部の高さよりも低い位置に設けられ、前記偏向ヨークの駆動に基づいて発せられ前記磁気ヘッドに侵入するノイズを遮蔽するシールド部材と、を備えることを特徴とする再生装置。
【請求項３】
前記ケース体の上部には、上面プレートが設けられ、
前記上面プレートは、前記シールド部材が配設されるシールド配設部を備えることを特徴とする請求項２に記載の再生装置。
【請求項４】
前記上面プレートは、前記磁気的記録媒体の挿入方向と略平行となるように延設された平面部を有し、
前記シールド配設部は、前記平面部の一部が前記挿入部の高さよりも低くなるように当該平面部に対して段差を付けて前記上面プレートと一体となって成形されていることを特徴とする請求項３に記載の再生装置。
【請求項５】
前記シールド部材は、前記磁気ヘッドの略直上となる位置に配設されていることを特徴とする請求項２〜４の何れか一項に記載の再生装置。
【請求項６】
前記シールド部材は、略板状に形成されていることを特徴とする請求項２〜５の何れか一項に記載の再生装置。
【請求項７】
前記磁気ヘッドは、前記磁気的記録媒体に対して所定の情報を書き込み可能に構成されていることを特徴とする請求項２〜６の何れか一項に記載の再生装置。
【考案の詳細な説明】
【技術分野】
【０００１】
本考案は、ビデオテープ等の磁気的記録媒体に記録された情報を再生する再生装置一体型テレビジョン受信機及びこの再生装置一体型テレビジョン受信機に搭載される再生装置に関する。
【背景技術】
【０００２】
従来より、ビデオテープ等の磁気的記録媒体に記録された画像等の情報を再生するビデオデッキと、テレビジョン受信装置とが一筐体内に搭載されたビデオ一体型テレビジョン受信機が知られている。
【０００３】
このビデオ一体型テレビジョン受信機に備わるテレビジョン受信装置として、例えば、所定の画像信号に合わせて電子銃から発射された電子に対して磁界を付与することで電子ビームを偏向させる偏向ヨークが配設されたものがある。
【０００４】
ところで、偏向ヨークの駆動に基づいて発せられた磁界がノイズとなって磁気ヘッドに侵入すると、磁気ヘッドにて読み書きされる情報が破壊されることがある。このため、磁気ヘッドと偏向ヨークとの間に、例えば珪素鋼板やパーマロイ板等からなるシールド部材を配設することにより、磁気ヘッドに対して侵入するノイズを遮蔽するように構成されたものがある（例えば、特許文献１参照。）。また、エンクロージャ内のディスク上における磁気ヘッドの稼働範囲に対応するようにシールド部材が設けられたものも知られている（例えば、特許文献２参照。）。
【特許文献１】実開平５−２７８９９号公報
【特許文献２】特開平５−３１４６９８号公報
【考案の開示】
【考案が解決しようとする課題】
【０００５】
ところで、シールド部材から磁気ヘッドまでの距離が大きくなるほど、磁気ヘッドにノイズが侵入し易くなってノイズの影響を受け易くなるために、磁気ヘッドに対してシールド部材をできる限り近接して配設することが好ましい。
【０００６】
しかしながら、上記特許文献１及び特許文献２等のようなケース体の内部にディスク（磁気的記録媒体）が固定された構成のものに比べて、ビデオテープ（磁気的記録媒体）を磁気ヘッドが配設されたケース体内に挿入部を介して出し入れする構成のものの場合には、挿入部の高さの分だけシールド部材の磁気ヘッドに対する距離が遠く（大きく）なってしまう。このため、シールド部材の寸法を大きくする必要が生じることとなるが、シールド部材は特殊な材料から構成されるために、そのコストアップを招くこととなる。この結果、シールド部材を備える再生装置の価格の上昇を招いてしまうといった問題がある。
【０００７】
本考案の課題は、磁気ヘッドに対して侵入するノイズの遮蔽を好適に行うことができるとともにシールド部材の小型化を図り、これにより、再生装置の価格を低下させることができる再生装置一体型テレビジョン受信機及び再生装置を提供することである。
【課題を解決するための手段】
【０００８】
そこで、上記課題を解決するため、本考案は、
テレビジョン受信装置（４）と、このテレビジョン受信装置の下方に設けられ、磁気的記録媒体（例えば、ビデオテープＭ）に記録された所定の情報の読み出し並びに前記磁気的記録媒体に対する所定の情報の書き込みを行う磁気ヘッド（３１）を有する再生装置（３）と、を備える再生装置一体型テレビジョン受信機（例えば、ビデオ一体型テレビジョン受信機１００）であって、
前記テレビジョン受信装置には、偏向ヨーク（４４）が設けられ、
前記再生装置は、
前記磁気的記録媒体を挿入するための挿入部（３４）と、
内部に、前記挿入部を介して挿入された前記磁気的記録媒体が収容されるとともに前記磁気ヘッドが配設されたケース体（３２）と、
前記ケース体の上部に配設され、前記磁気的記録媒体の挿入方向と略平行となるように延設された平面部（３３１）を有する上面プレート（３３）と、
前記磁気ヘッドの略直上となる位置であって、前記平面部の一部が前記挿入部の高さよりも低くなるように当該平面部に対して段差を付けて前記上面プレートと一体となって成形されたシールド配設部（３３２）に配設され、前記偏向ヨークの駆動に基づいて発せられ前記磁気ヘッドに侵入するノイズを遮蔽する略板状に形成されたシールド部材（３５）と、を備えることを特徴としている。
【０００９】
本考案の再生装置一体型テレビジョン受信機によれば、磁気ヘッドが配設されたケース体の磁気的記録媒体の挿入部の高さよりも低い位置に、テレビジョン受信装置の偏向ヨークの駆動に基づいて発せられ磁気ヘッドに侵入するノイズを遮蔽するシールド部材が配設されているので、磁気ヘッドに対して侵入するノイズの遮蔽を好適に行うことができるとともに、磁気ヘッドに対してシールド部材をより近接して配設することができ、シールド部材の小型化を図ることができる。従って、シールド部材の使用量を減少することができるので、再生装置の価格を低下させることができる。これにより、再生装置一体型テレビジョン受信機の価格の低下を図ることができる。
【００１０】
また、ケース体の上部に設けられた上面プレートにシールド配設部が備えられているので、このシールド配設部にシールド部材を容易に配設することができる。
【００１１】
さらに、シールド配設部は、平面部の一部が挿入部の高さよりも低くなるように当該平面部に対して段差を付けて上面プレートと一体となって成形されているので、シールド配設部を上面プレートと一体的に容易に形成することができる。
【００１２】
また、シールド部材は、磁気ヘッドの略直上となる位置に配設されているので、磁気ヘッドに対して侵入するノイズの遮蔽をより好適に行うことができ、これにより、シールド部材の小型化をより好適に図ることができる。
【００１３】
さらに、シールド部材は、略板状に形成されており、このような構成のシールド部材であっても、磁気ヘッドに対して侵入するノイズの遮蔽を好適に行うことができるとともにシールド部材の小型化を図ることができ、これにより、再生装置の価格を低下させることができる。
【００１４】
また、磁気ヘッドは、磁気的記録媒体に対して所定の情報を書き込み可能に構成されているので、磁気的記録媒体からの所定の情報の読み出し機能に加えて、磁気的記録媒体に対する所定の情報の書き込み機能を有する磁気ヘッドを搭載した再生装置であっても、当該再生装置の価格を低下することができる。
【００１５】
また、本考案の再生装置によれば、上記の再生装置一体型テレビジョン受信機と同様の効果を得ることができる。
【考案の効果】
【００１６】
本考案の再生装置一体型テレビジョン受信機によれば、磁気ヘッドに対して侵入するノイズの遮蔽を好適に行うことができるとともに、磁気ヘッドに対してシールド部材をより近接して配設することができ、シールド部材の小型化を図ることができる。従って、シールド部材の使用量を減少することができるので、再生装置の価格を低下させることができる。
【００１７】
本考案の再生装置によれば、磁気ヘッドに対して侵入するノイズの遮蔽を好適に行うことができるとともに、磁気ヘッドに対してシールド部材をより近接して配設することがで
き、シールド部材の小型化を図ることができる。従って、シールド部材の使用量を減少することができるので、再生装置の価格を低下させることができる。
【考案を実施するための最良の形態】
【００１８】
以下に、本考案について、図面を用いて具体的な態様を説明する。ただし、考案の範囲は、図示例に限定されない。
【００１９】
図１は、本考案を適用した好適な一実施形態として例示するビデオ一体型テレビジョン受信機１００を説明するための模式図である。
【００２０】
なお、以下の説明では、視聴者（図示略）側からビデオ一体型テレビジョン受信機１００に向かう方向を前後方向Ｘとして、表示画面側を前面側とし、表示画面と反対側を後面側とする。
【００２１】
図１に示すように、本考案を適用したビデオ一体型テレビジョン受信機１００は、筐体１内の下部に基板２が設けられ、この基板２の上部にビデオテープＭ（磁気的記録媒体）に記録された画像や音声等の各種情報を再生する再生装置３が設けられ、再生装置３の上方に当該再生装置３にて読み出された各種情報等を出力するテレビジョン受信装置４が配設されている。
【００２２】
テレビジョン受信装置４は、表示画面４１と反対側の端部に電子ビームを発射する電子銃４２を備える陰極線管４３と、この陰極線管４３の電子銃４２よりも前面側の部分（ネック側）の周囲を取り囲むように配設された偏向ヨーク４４等を備えて構成されている。
【００２３】
偏向ヨーク４４は、例えば、水平偏向ヨーク及び垂直偏向ヨーク等から構成され、ＣＰＵ（Central Processing Unit）等の所定の制御手段の制御下にて駆動して、電子銃４２
から発射された電子に磁界を付与することで電子ビームを水平方向及び垂直方向に所定の角度で偏向させるようになっている。
【００２４】
なお、テレビジョン受信装置４は、図示しないスピーカ等を備えており、再生装置３にて再生される音声等を出力可能となっている。
【００２５】
次に、再生装置３について、図２及び図３を参照して詳細に説明する。
【００２６】
ここで、図２は、再生装置３を示す斜視図であり、図３（ａ）は、再生装置３に備わる上面プレート３３及びシールド部材３５を示す平面図であり、図３（ｂ）は、図３（ａ）のIII−III線における断面図である。
【００２７】
再生装置３は、例えば、図２等に示すように、内部に磁気ヘッド３１が配設されたケース体３２の上部に上面プレート３３が配設されることによって、当該ケース体３２内にビデオテープＭを挿入するための挿入部３４（図３（ｂ）参照）が構成されている。そして、挿入部３４を介して挿入されたビデオテープＭは、ケース体３２内に収容されるようになっており、この状態でビデオテープＭの磁気テープに磁気ヘッド３１が接触するようになっている。なお、挿入部３４は、筐体１の所定位置に開口した挿入口１１（図１参照）と高さを略等しくなるようにして配設されている。
【００２８】
磁気ヘッド３１は、図示しないテープ搬送機構による磁気テープの搬送中に、当該磁気テープに記録された各種情報の読み出し並びに磁気テープに対する各種情報の書き込みを行うためのものである。
【００２９】
上面プレート３３は、例えば、所定の金属等から成形された部材であり、図３（ａ）及び図３（ｂ）に示すように、ビデオ一体型テレビジョン受信機１００の前後方向Ｘと略平行なビデオテープＭの挿入方向に沿って延設された平面部３３１を有している。また、上面プレート３３の磁気ヘッド３１の略直上となる部分に、平面部３３１に連続するようにして、磁気ヘッド３１に侵入するノイズを遮蔽するためのシールド部材３５が配設されるシールド配設部３３２が形成されている。
【００３０】
シールド配設部３３２は、平面部３３１の一部が挿入部３４の高さよりも低くなるよう
に平面部３３１に対して所定の高さを有する段差を付けて当該上面プレート３３と一体となって成形されている。これにより、シールド配設部３３２を上面プレート３３と一体的に容易に形成することができる。
【００３１】
そして、シールド配設部３３２の上面に、下面を接触させるようにしてシールド部材３５が配設されている。より具体的には、シールド配設部３３２には、その所定位置に形成された所定数（図３（ａ）においては、２つ）の係合部３３３をシールド部材３５の被係合部３５１に係合させた状態で当該シールド部材３５が配設されている。このように、シールド配設部３３２の所定位置に対するシールド部材３５の配設を容易に行うことができる。
【００３２】
シールド部材３５は、例えば、珪素鋼板等から構成され、全面に亘って略等しい厚さを有するように略板状に形成された部材である。このシールド部材３５は、テレビジョン受信装置４の表示画面４１に所定の画像を表示させる場合等に、偏向ヨーク４４の駆動に基づいて発せられ磁気ヘッド３１に侵入するノイズを遮蔽するためのものである。
【００３３】
なお、シールド部材３５の形状は、例えば、磁気ヘッド３１の偏向ヨーク４４に対する相対的な配置に応じて適宜任意に変更可能となっている。
【００３４】
ここで、上面プレート３３並びにシールド部材３５の寸法等について、従来の再生装置に備わる上面プレート２３３並びにシールド部材２３５と比較して、より詳細に説明する。
【００３５】
なお、図４（ａ）は、従来の再生装置に備わる上面プレート２３３及びシールド部材２３５を示す平面図であり、図４（ｂ）は、図４（ａ）のIV−IV線における断面図である。
【００３６】
図４（ａ）及び図４（ｂ）に示すように、従来の再生装置に備わる上面プレート２３３は、その上面部（本考案に係る上面プレート３３における平面部３３１に対応）がほぼ全面に亘って略平面状に形成されており、その上面に下面を接触させるようにしてシールド部材２３５が配設されている。
【００３７】
このため、従来のシールド部材２３５から磁気ヘッド３１までの距離ｌは、本考案に係るシールド部材３５に比べて大きくなる。つまり、従来の再生装置にあっては、上面プレート２３３の磁気ヘッド３１の略直上となる位置に、所定寸法の段差を付けることにより形成されたシールド配設部３３２が設けられていないため、その分だけ、シールド部材２３５から磁気ヘッド３１までの距離ｌが大きくなる。また、シールド部材２３５から磁気ヘッド３１までの距離ｌが大きくなるほど、磁気ヘッド３１に対してノイズが侵入し易くなることから、より大きい寸法に形成されたシールド部材２３５が配設されている。
【００３８】
以下に、図５を参照して、本考案に係る上面プレート３３及びシールド部材３５の一例の寸法と従来の再生装置に係る上面プレート２３３及びシールド部材２３５の一例の寸法とを比較して説明する。
【００３９】
ここで、図５においては、シールド部材３５から磁気ヘッド３１までの距離ｌを従来のものに比べて２０［ｍｍ］小さくした場合に、即ち、上面プレート３３に２０［ｍｍ］の段差が付けられたシールド配設部３３２を設けた場合に、本考案と従来のものとでＳ／Ｎ比がほぼ同等（０．５ｄｂ以内）となるように、本考案に係るシールド部材３５の寸法を検討した場合のものである。なお、本考案に係るシールド部材３５及び従来のシールド部材２３５の厚さはほぼ等しいものとする。
【００４０】
図５に示すように、シールド部材３５から磁気ヘッド３１までの距離ｌを２０［ｍｍ］小さくすることにより、従来の再生装置に係るシールド部材２３５の寸法が短辺［ｍｍ］×長辺［ｍｍ］：約１００×約１２０であったのに対して、本考案にあっては、シールド部材３５の寸法（短辺［ｍｍ］×長辺［ｍｍ］）を約５０×約６０とすることができ、面積比においては約１／４程度とすることができる。
【００４１】
なお、図５中、長辺をシールド部材３５（２３５）の最も長い辺とし、この長辺に対して略直角に延在する辺を短辺として表すものとする。また、長辺及び短辺の寸法としては、シールド部材３５（２３５）を再生装置３に配設する場合に、当該再生装置３の形状等に応じて切除された部分や面取りされた頂点部分（図３（ａ）及び図４（ａ）参照）等は考慮しないものとする。
【００４２】
以上のように、本実施形態のビデオ一体型テレビジョン受信機１００によれば、磁気ヘッド３１が配設されたケース体３２のビデオテープＭの挿入部３４の高さよりも低い位置に、テレビジョン受信装置４の偏向ヨーク４４の駆動に基づいて発せられ磁気ヘッド３１に侵入するノイズを遮蔽するシールド部材３５が配設されている。具体的には、ケース体３２の上部に設けられた上面プレート３３と一体となって成形され、その平面部３３１の一部が挿入部３４の高さよりも低くなるように当該平面部３３１に対して段差を付けることにより形成されたシールド配設部３３２にシールド部材３５が配設されている。
【００４３】
これにより、磁気ヘッド３１に対して侵入するノイズの遮蔽を好適に行うことができるとともに、当該磁気ヘッド３１に対してシールド部材３５をより近接して配設することができ、シールド部材３５の小型化を図ることができる。従って、シールド部材３５の使用量を減少することができるので、再生装置３の価格を低下させることができ、ビデオ一体型テレビジョン受信機１００の価格の低下を図ることができる。
【００４４】
また、シールド部材３５は、磁気ヘッド３１の略直上となる位置に配設されているので、磁気ヘッド３１に対して侵入するノイズの遮蔽をより好適に行うことができ、これにより、シールド部材３５の小型化をより好適に図ることができる。
【００４５】
なお、本考案は、上記実施形態に限定されることなく、本考案の趣旨を逸脱しない範囲において、種々の改良並びに設計の変更を行っても良い。
【００４６】
例えば、上記実施形態では、磁気ヘッド３１として、ビデオテープＭの磁気テープに記録された各種情報の読み出し並びに磁気テープに対する各種情報の書き込みを行うものを例示したが、これに限られるものではなく、磁気テープから各種情報の読み出しを少なくとも行うものであれば良い。即ち、再生専用の再生装置３を搭載したビデオ一体型テレビジョン受信機１００であっても良い。
【００４７】
また、本考案に係るビデオ一体型テレビジョン受信機１００にあっては、さらに、ＣＤ（Compact Disc）やＤＶＤ（Digital Versatile Disk）等の光学的記録媒体に記録された所定の情報の読み出し並びに光学的記録媒体に対する所定の情報の書き込みを行う光ヘッドを有する光学的記録再生装置を備える構成であっても良い。
【００４８】
さらに、上記実施形態にあっては、磁気的記録媒体としてビデオテープＭを例示したが、これに限られるものではなく、少なくともケース体３２内に挿入可能な磁気的記録媒体であれば如何なるものであっても良い。
【００４９】
また、上面プレート３３として、所定の金属から成形されたものを例示したが、これに限られるものではなく、所定の強度を確保することができる構成材料であれば如何なるものであっても良い。
【図面の簡単な説明】
【００５０】
【図１】本考案を適用した好適な一実施形態として例示するビデオ一体型テレビジョン受信機を説明するための模式図である。
【図２】図１のビデオ一体型テレビジョン受信機に備わる再生装置を示す斜視図である。
【図３】図２の再生装置に備わる上面プレート及びシールド部材を示す図である。
【図４】従来の再生装置に備わる上面プレート及びシールド部材を示す図である。
【図５】上面プレート及びシールド部材の寸法の一例を説明するための図である。
【符号の説明】
【００５１】
１００  ビデオ一体型テレビジョン受信機（再生装置一体型テレビジョン受信機）
３      再生装置
３１    磁気ヘッド
３２    ケース体
３３    上面プレート
３３１  平面部
３３２  シールド配設部
３４    挿入部
３５    シールド部材
４      テレビジョン受信装置
４４    偏向ヨーク
Ｍ      ビデオテープ（磁気的記録媒体）
【図１】
0003106384.tif 000003
【図２】
0003106384.tif 000004
【図３】
0003106384.tif 000005
【図４】
0003106384.tif 000006
【図５】
0003106384.tif 000007